(57)【特許請求の範囲】
【請求項１】
冷媒を吸入圧縮する圧縮機構と、
前記圧縮機構を駆動する電動式のモータと、
前記圧縮機構および前記モータを収納するとともに、内部を前記圧縮機構が吸入する吸入冷媒が流通するハウジングと、
前記ハウジング外に設けられ、前記モータを駆動する駆動回路部と、
前記ハウジングに形成された貫通孔内に設けられ、前記モータと前記駆動回路部とを電気的に接続する貫通端子部と、を備え、
前記貫通端子部は、
一端部に前記モータから延びるリード線が接続され、他端部に駆動回路部が接続された金属材からなるピン部材と、
前記ピン部材の外周を取り囲むように配設されたゴム材もしくはゴムを含有するポリマーアロイ材からなる筒状の絶縁部材と、
前記絶縁部材の外周を取り囲むように配設された金属材からなる筒状の支持部材と、を具備し、
前記貫通孔内に圧入された前記支持部材の外周面が全周にわたって前記ハウジングに圧接しており、
前記支持部材が前記圧入に伴い内方へ向かって変形して内径が縮小し、前記絶縁部材が前記支持部材と前記ピン部材との間で径方向に圧縮されて、前記支持部材の内周面が全周にわたって前記絶縁部材に圧接しているとともに、前記絶縁部材の内周面が全周にわたって前記ピン部材に圧接しており、
前記ピン部材は、軸線方向において前記貫通孔内に位置する部分の外周面に、環状に形成された複数の環状凹部もしくは複数の環状凸部を有し、
前記圧入により内径が縮小した前記支持部材によって前記絶縁部材が内方に押し込まれて、
前記複数の環状凹部のそれぞれの縁部もしくは前記複数の環状凸部のそれぞれにおいて、前記絶縁部材と前記ピン部材との間に面圧が環状に発生していることを特徴とする電動圧縮機。
【請求項２】
前記ピン部材は、銅材もしくは銅合金材からなることを特徴とする請求項１に記載の電動圧縮機。
【請求項３】
前記支持部材は、内周側に内方に向かって突出した環状突出部を有し、
前記環状突出部が前記絶縁部材を内方に向かって押圧していることを特徴とする請求項１または請求項２に記載の電動圧縮機。
【請求項４】
前記ピン部材は、前記一端部から軸方向に凹み、前記リード線が挿入されている挿設凹部を有し、
前記挿設凹部内に挿設された前記リード線が、前記ピン部材にかしめ固定されていることを特徴とする請求項１ないし請求項３のいずれか１つに記載の電動圧縮機。
【発明の詳細な説明】
【技術分野】
【０００１】
本発明は、冷媒を圧縮する圧縮機構、圧縮機構を駆動する電動モータ、および電動モータを駆動するインバータ回路等のモータ駆動回路を有し、電動モータとモータ駆動回路とがハウジングを貫通する貫通端子で接続された電動圧縮機に関する。
【背景技術】
【０００２】
従来から、冷媒を吸入圧縮する圧縮機構と、圧縮機構を駆動する電動式のモータと、モータを駆動する駆動回路部と、を備え、モータを圧縮機構とともにハウジング内に収容し、駆動回路部をハウジング外に載置して、モータと駆動回路部とをハウジングを貫通する貫通端子部により接続した電動圧縮機がある。そして、貫通端子部をハウジングに装着する際の支持部材となる金属製の端子本体と、導電経路となる金属端子と、の間をガラスで封止して、端子本体と金属端子との間の絶縁性および気密性を確保する電動圧縮機が知られている（例えば、特許文献１参照。）。
【先行技術文献】
【特許文献】
【０００３】
【特許文献１】特開２０１０−６５６２５号公報
【発明の概要】
【発明が解決しようとする課題】
【０００４】
しかしながら、上記従来技術の電動圧縮機では、貫通端子部の封止ガラスに大きな応力が加わり割れることを防止するように、端子本体とハウジングとの間にＯリング等からなるシール部材を配設して、ハウジングに装着した貫通端子部の端子本体をサークリップ等で固定し、ハウジングと貫通端子部との間の気密シール性を確保している。このため、貫通端子部の構造が複雑で体格が大きくなり易いという問題がある。
【０００５】
また、金属端子の構成材料としてはガラスに近似した線膨張係数を有する材料を設定するため、電気導電率が高い材料を選択することが困難であり、金属端子の径を比較的大きくして抵抗を低減する必要がある。これも貫通端子部の体格を大きくする要因となっている。
【０００６】
本発明は、上記点に鑑みてなされたものであり、貫通端子部の構造を簡素化して貫通端子部を小型化することが可能な電動圧縮機を提供することを目的とする。
【課題を解決するための手段】
【０００７】
上記目的を達成するため、請求項１に記載の発明では、
冷媒を吸入圧縮する圧縮機構と、
圧縮機構を駆動する電動式のモータと、
圧縮機構およびモータを収納するとともに、内部を圧縮機構が吸入する吸入冷媒が流通するハウジングと、
ハウジング外に設けられ、モータを駆動する駆動回路部と、
ハウジングに形成された貫通孔内に設けられ、モータと駆動回路部とを電気的に接続する貫通端子部と、を備え、
貫通端子部は、
一端部にモータから延びるリード線が接続され、他端部に駆動回路部が接続された金属材からなるピン部材と、
ピン部材の外周を取り囲むように配設されたゴム材もしくはゴムを含有するポリマーアロイ材からなる筒状の絶縁部材と、
絶縁部材の外周を取り囲むように配設された金属材からなる筒状の支持部材と、を具備し、
貫通孔内に圧入された支持部材の外周面が全周にわたってハウジングに圧接しており、
支持部材が圧入に伴い内方へ向かって変形して内径が縮小し、絶縁部材が支持部材とピン部材との間で径方向に圧縮されて、支持部材の内周面が全周にわたって絶縁部材に圧接しているとともに、絶縁部材の内周面が全周にわたってピン部材に圧接しており、
ピン部材は、軸線方向において貫通孔内に位置する部分の外周面に、環状に形成された複数の環状凹部もしくは複数の環状凸部を有し、
圧入により内径が縮小した支持部材によって絶縁部材が内方に押し込まれて、
複数の環状凹部のそれぞれの縁部もしくは複数の環状凸部のそれぞれにおいて、絶縁部材とピン部材との間に面圧が環状に発生していることを特徴としている。
【０００８】
これによると、ピン部材と筒状の支持部材との間にゴム材もしくはゴムを含有するポリマーアロイ材からなる筒状の絶縁部材を介設した簡単な構成の貫通端子部をハウジングの貫通孔内に圧入することで、支持部材の外周面を全周にわたってハウジングに圧接して支持部材とハウジングとの間の気密シールするとともに、筒状の支持部材を圧入に伴い縮径させて絶縁部材を径方向に圧縮し、支持部材とピン部材との間を絶縁しつつ気密シールしている。このように、比較的簡単な構造の貫通端子部により貫通端子部を小型化することができる。
また、ピン部材の環状凹部の縁部と絶縁部材との間、もしくは、ピン部材の環状凸部と絶縁部材との間に、比較的高い面圧を環状に発生させて、ピン部材と絶縁部材との間を確実に気密シールすることができる。
【０００９】
また、請求項２に記載の発明では、ピン部材は、銅材もしくは銅合金材からなることを特徴としている。支持部材とピン部材との間をゴム材もしくはゴムを含有するポリマーアロイ材からなる絶縁部材で絶縁しつつ気密シールしており、ガラス材を封止に用いる必要がないので、ピン部材に、電気導電率が高い銅材もしくは銅合金材を用いることが可能である。
【００１０】
また、請求項３に記載の発明では、支持部材は、内周側に内方に向かって突出した環状突出部を有し、環状突出部が絶縁部材を内方に向かって押圧していることを特徴としている。これによると、支持部材の環状突出部と絶縁部材との間に比較的高い面圧を環状に発生させて、支持部材と絶縁部材との間を確実に気密シールすることができる。
【００１２】
また、請求項４に記載の発明では、ピン部材は、一端部から軸方向に凹み、リード線が挿入されている挿設凹部を有し、挿設凹部内に挿設されたリード線がピン部材にかしめ固定されていることを特徴としている。これによると、ピン部材の一端部においてピン部材の外周面よりも内側にモータからのリード線を固定できるので、貫通端子部を一層小型化することができる。
【図面の簡単な説明】
【００１３】
【図１】本発明を適用した一実施形態における電動圧縮機の外形を示す正面図である。
【図２】図１中Ａ−Ａ線断面図である。
【図３】電動圧縮機の内部構造を示す断面図である。
【図４】駆動回路部であるインバータ回路２０の配設部位の概略構成を示す断面図である。
【図５】インバータ回路２０の一部を拡大した断面図である。
【図６】貫通端子部１６の概略構造を示す断面図である。
【図７】貫通端子部１６の製造方法およびハウジング１への装着方法を説明する工程別断面図の一部である。
【図８】貫通端子部１６の製造方法およびハウジング１への装着方法を説明する工程別断面図の一部である。
【図９】貫通端子部１６の製造方法およびハウジング１への装着方法を説明する工程別断面図の一部である。
【図１０】貫通端子部１６の製造方法およびハウジング１への装着方法を説明する工程別断面図の一部である。
【図１１】貫通端子部１６の製造方法およびハウジング１への装着方法を説明する工程別断面図の一部である。
【図１２】貫通端子部１６の製造方法およびハウジング１への装着方法を説明する工程別断面図の一部である。
【発明を実施するための形態】
【００１４】
以下に、図面を参照しながら本発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した形態と同様とする。実施の各形態で具体的に説明している部分の組合せばかりではなく、特に組合せに支障が生じなければ、実施の形態同士を部分的に組み合せることも可能である。
【００１５】
図１は、本発明を適用した一実施形態における電動圧縮機の外形を示す正面図である。図２は、図１中Ａ−Ａ線断面図であり、図３は、電動圧縮機の内部構造を示す断面図である。
【００１６】
図１に示す電動圧縮機１００は、例えば、自動車のエンジンルーム内に配置されている。電動圧縮機１００は、凝縮器、減圧器、および蒸発器とともに、車両空調装置用の冷凍サイクル装置を構成している。電動圧縮機１００はハウジング１を備えている。
【００１７】
ハウジング１は、伝熱性の高いアルミニウム材もしくはアルミニウム合金材等の金属からなるもので、略円筒状に形成されている。ハウジング１には、冷媒吸入口１ａおよび冷媒吐出口１ｂが設けられている。
【００１８】
冷媒吸入口１ａは、ハウジング１において軸線方向一方側に配置されている。冷媒吸入口１ａには、蒸発器の冷媒出口からの冷媒が流入する。冷媒吐出口１ｂはハウジング１において軸線方向他方側に配置されている。冷媒吐出口１ｂは、凝縮器の冷媒入口に向けて冷媒を吐出する。
【００１９】
ハウジング１の上側には脚部２が設けられている。ハウジング１の下側には脚部３、４が設けられている。脚部２、３、４には、それぞれ、ボルト５を貫通させる貫通孔が設けられている。各ボルト５は、脚部２、３、４の貫通孔に貫通した状態で、ハウジング１をエンジンの側壁に固定する。
【００２０】
電動圧縮機１００は、図２および図３に示すように、モータ部１０（モータに相当）、インバータ回路２０（駆動回路部に相当）、圧縮機構３０、およびインバータカバー４０（カバー部材に相当）等から構成されている。
【００２１】
モータ部１０は、三相同期モータであって、回転軸１２、ロータ１３、ステータコア１４、およびステータコイル１５から構成されている。
【００２２】
回転軸１２は、ハウジング１内に配置されている。回転軸１２はその軸線方向がハウジング１の軸線方向に一致している。回転軸１２は、軸受け１２ａ、１２ｂにより回転自在に支持されている。回転軸１２は、ロータ１３から受ける回転駆動力を圧縮機構３０に伝える。軸受け１２ａ、１２ｂは、ハウジング１により支持されている。
【００２３】
ロータ１３は、例えば永久磁石が埋め込まれたもので、筒状に形成されているものであって、回転軸１２に対して固定されている。ロータ１３は、ステータコア１４から発生される回転磁界に基づいて、回転軸１２とともに回転する。
【００２４】
ステータコア１４は、ハウジング１内においてロータ１３（回転軸１２）に対して径方向外周側に配置されている。ステータコア１４は、その軸線方向が回転軸１２の軸線方向に一致する筒状に形成されている。ステータコア１４は、ロータ１３との間に隙間を形成している。隙間は、回転軸１２の軸線方向に並行に冷媒を流す冷媒流路１７を構成している。
【００２５】
ステータコア１４は、磁性体からなるもので、ハウジング１の内周面から支持されている。ステータコイル１５は、ステータコア１４に対して回巻されている。ステータコイル１５は後述するように回転磁界を発生する。
【００２６】
圧縮機構３０は、モータ部１０に対して軸線方向他方側に配置されている。圧縮機構３０は、固定スクロールと可動スクロールとから構成されるスクロール型コンプレッサであって、モータ部１０の回転軸１２からの回転駆動力によって可動スクロールを旋回させて冷媒を吸入、圧縮、吐出する。
【００２７】
インバータ回路２０は、ハウジング１の取付面１ｃに装着されている。取付面１ｃは、ハウジング１の外周部（すなわち、回転軸１２の径方向外周側）に形成されている。本実施形態では、取付面１ｃは、ハウジング１の外周部の上側に位置する。
【００２８】
インバータ回路２０は、半導体素子等からなり、モータ部１０を駆動する三相電圧を発生する駆動回路を構成している。インバータカバー４０は、インバータ回路２０を覆うように形成されている。インバータカバー４０は、ハウジング１にネジ（図示省略）により締結されている。
【００２９】
ステータコア１４の外周壁には、図２に示すように、凹部１４ａ、１４ｂ、１４ｃ、１４ｄが設けられている。凹部１４ａは、回転軸１２の径方向中心側に凹んで、かつステータコア１４に対して軸線方向に並行に延びるように形成されている。同様に、凹部１４ｂ、１４ｃ、１４ｄは、回転軸１２の径方向中心側に凹んで、かつステータコア１４に対して軸線方向に並行に延びるように形成されている。
【００３０】
凹部１４ａ、１４ｂ、１４ｃ、１４ｄは、回転軸１２を中心とする円周方向に同一間隔でずれるように配置されている。凹部１４ａは、インバータ回路２０側に配置されている。凹部１４ａは、ハウジング１の内周面との間に第１の冷媒流路６０を構成する。凹部１４ｂ、１４ｃ、１４ｄは、それぞれ、ハウジング１の内周面との間に第２の冷媒流路６１、６２、６３を構成する。
【００３１】
ここで、凹部１４ａにおいてインバータ回路２０側には（凹部１４ａの内面には）、断熱膜８０が設けられている。図２には模式的に所定の厚みを有する断熱膜８０が示されているが、実際には、断熱膜８０としては、薄膜状に形成されているものが用いられる。
【００３２】
断熱膜８０は、凹部１４ａの底部１４０および側部１４１ａ、１４１ｂを覆うように形成されている。すなわち、断熱膜８０は、軸線方向から視て略断面コ字状に形成されている。断熱膜８０は、冷媒とステータコア１４との間の熱伝達を妨げる。
【００３３】
断熱膜８０は、冷媒や潤滑油（圧縮機油）に対する耐性が強く、かつ高温度高圧に耐え得る材料が用いられ、例えば、ビスマス（金属系）、セラミックス（無機高分子）、ポリイミド（有機無機高分子）などを用いることができる。断熱膜８０としては、特に、耐熱性に優れたポリイミドを用いることが好ましい。
【００３４】
上述した構成の電動圧縮機１００の作動について簡単に説明する。まず、インバータ回路２０が電源投入されて、モータ部１０のステータコイル１５に対して三相の駆動電流を流す。これに伴って、ステータコア１４から回転磁界が発生するため、ロータ１３に対して回転力が発生する。すると、ロータ１３が回転軸１２とともに回転する。したがって、圧縮機構３０は、回転軸１２からの回転駆動力によって旋回して冷媒を吸入する。
【００３５】
このとき、蒸発器側からの吸入冷媒は、ハウジング１の冷媒吸入口１ａ側内に流入する。すると、この吸入冷媒は、冷媒流路１７、６０、６１、６２、６３を通過して圧縮機構３０側に流れる。吸入冷媒は、圧縮機構３０で圧縮され、冷媒吐出口１ｂから凝縮器側に吐出される。
【００３６】
一方、インバータ回路２０は、その作動に伴って熱を発生する。この熱がハウジング１の肉部１ｎ（図２、図３参照）を通して冷媒流路６０内の冷媒に伝わる。
【００３７】
このとき、ステータコイル１５は、三相の駆動電流の通電に伴って熱を発生するものの、断熱膜８０により冷媒流路６０内の冷媒とステータコア１４との間の熱伝達を妨げる。したがって、冷媒流路６０内の冷媒によりインバータ回路２０を冷却することになる。
【００３８】
また、ステータコイル１５から発生した熱は、ステータコア１４を通して冷媒流路１７、６１〜６３内の冷媒に伝わる。これにより、ステータコア１４、およびステータコイル１５を冷媒流路１７、６１〜６３内の冷媒により冷却することができる。
【００３９】
次に、図４および図５に基づいて、モータを駆動する駆動回路部の構成について説明する。図４は、駆動回路部であるインバータ回路２０の配設部位の概略構成を示す断面図であり、図５は、インバータ回路２０の一部を拡大した断面図である。
【００４０】
図４に示すように、インバータ回路２０は、ハウジング１の取付面１ｃに取り付けられてインバータカバー４０で覆われている。換言すれば、インバータ回路２０は、ハウジング１の取付面１ｃを底面部とし、インバータカバー４０が側面部および天井面部となるケーシング内に収容されている。インバータカバー４０とハウジング１との間にはシール部材４１が配設されており、インバータ回路２０の収容空間と外部空間とを遮断している。
【００４１】
インバータ回路２０は、第１基板２１と第２基板２２とを有し、第１基板２１と第２基板２２とはワイヤ２３等の電気的接続手段で接続されている。第１基板２１は、パワー素子２１４等を内蔵している素子内蔵回路基板である。
【００４２】
一方、第２基板２２は、絶縁基材内に素子を内蔵していない非素子内蔵回路基板であり、例えばガラスエポキシ基板等の所謂汎用プリント基板からなり、絶縁基材の表面を含む絶縁基材の外部に回路素子の本体部が配設されるように各種素子等が実装されている。第２基板２２には、外部との接続端子を有するコネクタ２２１や電源フィルタ等の大型部品が実装されている。
【００４３】
第１基板２１および第２基板２２は、いずれも取付面１ｃに取り付けられ、取付面１ｃが延びる方向に並設されている。すなわち、第１基板２１と第２基板２２とは、ハウジング１の外面の延面方向において並設されている。第１基板２１および第２基板２２と、ハウジング１の取付面１ｃとの間には、全域に亘って絶縁放熱シート２４（絶縁シート部材に相当）が介設されている。絶縁放熱シート２４は、例えば樹脂材（例えばシリコーン樹脂）、ゴム材（例えばシリコーンゴム）、無機材（例えばマイカ）等のいずれかからなる。
【００４４】
図５に示すように、第１基板２１は、熱可塑性樹脂からなる絶縁基材２１１と、絶縁基材２１１の内部に配置されたパワー素子２１４と、絶縁基材２１１の内部や表面に配置された他の回路素子２１５（例えば、抵抗等の受動素子）等の電子部品と、絶縁基材２１１の内部や表面に形成され、パワー素子２１４や他の回路素子２１５と電気的に接続する配線部としての導体パターン２１２および層間接続ビア２１３とを備えている。
【００４５】
換言すれば、第１基板２１は、熱可塑性樹脂からなる絶縁基材２１１の表面および内部に導体パターン２１２が多層に配置され、異なる層の導体パターン２１２の一部が層間接続部である層間接続ビア２１３（例えば、導電性ペーストなどを採用することができる）によって電気的に層間接続されるとともに、絶縁基材２１１中に導体パターン２１２及び層間接続ビア２１３と電気的に接続されたパワー素子２１４等の電子部品が配置された多層基板である。
【００４６】
また、第１基板２１は、絶縁基材２１１内に埋め込まれた伝熱部材である例えば銅製で薄板状の放熱用チップ２１６を備えている。放熱用チップ２１６は、絶縁基材２１１内においてパワー素子２１４よりもハウジング１の取付面１ｃ側（図５図示下方側）となる部位に埋設されている。放熱用チップ２１６は、図示下面が絶縁基材２１１から露出しており、放熱用チップ２１６の下面と絶縁基材２１１の下面とは同一平面内にある。
【００４７】
第１基板２１の絶縁基材２１１は、例えば、熱可塑性の樹脂フィルム（基材フィルム）を複数枚積層して、相互に接着（溶着）して構成されている。なお、樹脂フィルムに用いる熱可塑性樹脂としては、例えば、ポリエーテルエーテルケトン（ＰＥＥＫ）、ポリエーテルイミド（ＰＥＩ）、及びポリエーテルエーテルケトンとポリエーテルイミドの混合材、或いは液晶ポリマーなどを採用することができる。
【００４８】
第１基板２１は、表面に配線部の一部として例えば金属箔からなる導体パターン２１２が形成されると共に、この導体パターン２１２を底部とするビアホール内に導電体（例えば、導電性ペースト）が埋め込まれた配線部の一部としての層間接続ビア２１３を有する熱可塑性の樹脂フィルム（基材フィルム）や、パワー素子２１４等の内蔵電子部品や放熱用チップ２１６等の内蔵部品の体格に応じた貫通孔を有する熱可塑性の樹脂フィルム（基材フィルム）などを複数層積層して、相互に接着（溶着）して構成されている。
【００４９】
なお、導体パターン２１２は、比較的大電流が流れる所謂パワー系（例えばモータ電流系統）では非パワー系（例えば信号伝達系統）よりも導体厚さを厚くすることが好ましい。パワー系の導体パターン２１２を非パワー系の導体パターン２１２と同一層に配置する場合には、パワー系の導体パターン２１２として例えば銅製の金属プレート部材を用いることができ、パワー系の導体パターン２１２を非パワー系の導体パターン２１２と異なる層に配置する場合には、パワー系の導体パターン２１２を非パワー系の導体パターン２１２よりも厚い金属箔もしくは金属プレート部材により形成することができる。
【００５０】
この第１基板２１は、以下のようにして製造することができる。上述のような複数枚の熱可塑性の樹脂フィルムを、内部にパワー素子２１４等を配置しつつ積層する。そして、この積層体を加熱しながら、積層方向における両側から加圧する。例えば、２５０〜３５０℃の雰囲気温度下で１〜１０ＭＰａの圧力で１０〜２０分間加圧する。このようにして、一括で熱圧着接合して第１基板２１を製造することができる。
【００５１】
なお、第１基板２１の絶縁基材２１１として、熱可塑性の樹脂フィルムを複数枚用いる例を説明したが、絶縁基材２１１は、少なくとも熱可塑性樹脂を含むものであればよく、例えば、熱可塑性樹脂を含む基材フィルムと、熱硬化性樹脂を含む基材フィルムとを相互に（例えば、交互に、あるいは、熱硬化性樹脂を含む基材フィルムが連続して積層されないように）積層してなるものを採用するようにしてもよい。この例では、熱可塑性樹脂を含む基材フィルムが接着剤層として機能する。
【００５２】
また、熱可塑性樹脂は、絶縁基材２１１に内蔵するパワー素子２１４等の内蔵素子の周囲に配設することが好ましい。内蔵素子に接する部分の少なくとも一部に熱可塑性樹脂を配置することが好ましく、内蔵素子を取り囲む全域（全面）に亘って熱可塑性樹脂を配置することがさらに好ましい。内蔵素子に接する部分に熱可塑性樹脂を配置すると、積層した複数枚の樹脂フィルムを加熱プレスして絶縁基材２１１を形成する際に、絶縁基材２１１中にパワー素子２１４等の内蔵素子を封止する（内蔵素子の外面の電気接続部を除く全域を絶縁基材に密着させる）ことが容易である。
【００５３】
図５から明らかなように、第１基板２１には、図示左方側端部近傍に、絶縁基材２１１を厚さ方向（図示上下方向）に貫通する貫通孔２１１ａが形成されている。
【００５４】
放熱用チップ２１６は、絶縁基材２１１の厚さ方向（図示上下方向）におけるパワー素子２１４の投影領域の一部もしくは全域を含むように配設され、図示左方側に大きく延設されている。そして、放熱用チップ２１６は、絶縁基材２１１の貫通孔２１１ａが形成された部分を含む領域にまで延設されている。放熱用チップ２１６には、絶縁基材２１１の貫通孔２１１ａに対応して、同軸上に貫通孔２１６ａが形成されている。
【００５５】
ハウジング１の取付面１ｃが形成されている部分には、図５では図示を省略したモータ部１０のステータコイル１５から延びハウジング１を貫通する貫通端子部１６の貫通ピン部材１６１（貫通棒状導電部材）が突出しており、貫通ピン部材１６１のハウジング１外方に突出した部分は、絶縁基材２１１の貫通孔２１１ａ内に配設されている。
【００５６】
貫通ピン部材１６１は、半田付け等の電気的接合手段により、第１基板２１の放熱用チップ２１６に電気的に接続している。放熱用チップ２１６は、導体パターン２１２と接すること等により、パワー素子２１４と電気的に接続されており、放熱用チップ２１６の貫通ピン部材１６１との接続部分（放熱用チップ２１６の貫通孔２１６ａ部分）が、第１基板２１からモータ部１０へ供給電力を出力する出力部となっている。
【００５７】
なお、貫通端子部１６の貫通ピン部材１６１は、放熱用チップ２１６のみと電気的に接続されていてもよいが、放熱用チップ２１６と同一電位にある導体パターン２１２等とも接続されていてもかまわない。
【００５８】
ここで、貫通端子部１６の構成について説明する。図６は、貫通端子部１６の概略構造を示す断面図である。
【００５９】
図６に示すように、貫通端子部１６は、貫通ピン部材１６１（ピン部材に相当）、絶縁筒部材１６２（絶縁部材に相当）、圧入圧縮リング１６３（支持部材に相当）、および、絶縁ブーツ１６４により構成され、ハウジング１の貫通孔１ｄ内に配設されている。
【００６０】
貫通ピン部材１６１は、例えば銅材もしくは銅合金材等の金属材からなる円柱状部材である。貫通ピン部材１６１には、軸線方向におけるほぼ中央部に（貫通孔１ｄ内に位置する部分に）、外周面から凹んだ環状の環状溝１６１ａ（環状凹部に相当）が形成されている。環状溝１６１ａは、軸線方向において間隔をあけて複数（本例では４つ）並設されている。
【００６１】
貫通ピン部材１６１の一端部（図６図示下方端部、ハウジング１内側の端部）には、端部から図示上方に向かって軸線方向に凹む横断面が円形の凹部１６１ｂ（挿設凹部に相当）が形成されている。凹部１６１ｂ内には、ステータコイル１５から延びるリード線１５１の端部が絶縁被膜を除去されて挿設され、貫通ピン部材１６１の外周側からのかしめ加工によりかしめ固定されている。なお、貫通ピン部材１６１の他端部（図６図示上方端部、ハウジング１外側の端部）は、前述したように、インバータ回路２０の第１基板２１に電気的に接続している。
【００６２】
貫通ピン部材１６１の外周には、略円筒形状の絶縁筒部材１６２が貫通ピン部材１６１を取り囲むように配設されている。絶縁筒部材１６２は、ゴム材もしくはゴムを含有するポリマーアロイ材（比較的高靭性の架橋硬化材料、例えば、エポキシ樹脂とゴムとのポリマーアロイ材に充填材としてのシリカを含有する材料）からなり、貫通ピン部材１６１と熱膨張率が近似したものとしている。
【００６３】
図６から明らかなように、絶縁筒部材１６２は、軸線方向において内径がほぼ均一に形成され、外径は図示上方から下方に向かって段階的に小さくなっており、大外径部１６２ａ、中外径部１６２ｂ、小外径部１６２ｃが一体成形されている。前述した貫通ピン部材１６１の外周面は絶縁筒部材１６２の外周面に圧接している。
【００６４】
貫通ピン部材１６１の環状溝１６１ａの形成部分は、絶縁筒部材１６２の大外径部１６２ａの内側にあって、環状溝１６１ａの内部にも絶縁筒部材１６２が押し込まれている。環状溝１６１ａと貫通ピン部材１６１の円筒状の外周面との角部において絶縁筒部材１６２が貫通ピン部材１６１に強く押し当てられ、高い面圧を発生している。
【００６５】
絶縁筒部材１６２の外周には、略円筒形状の圧入圧縮リング１６３が絶縁筒部材１６２を取り囲むように配設されている。圧入圧縮リング１６３は、金属材（例えば、真鍮等の銅合金材）からなり、軸線方向において外径がほぼ均一に形成されている。圧入圧縮リング１６３は、絶縁筒部材１６２の大外径部１６２ａの外周面に圧接する円筒部１６３ａと、円筒部１６３ａよりも内径が小さく絶縁筒部材１６２の中外径部１６２ｂの外周面に圧接する小内径部１６３ｂとが一体に形成されている。
【００６６】
円筒部１６３ａの上端部近傍の内側面には、内方に向かって突出した環状突出部１６３ｃが設けられている。環状突出部１６３ｃは、絶縁筒部材１６２を内方に向かって強く押圧して高い面圧を発生している。また、環状突出部１６３ｃは、図示下方において内方に向かって環状に突出した小内径部１６３ｂとともに、絶縁筒部材１６２を確実に保持している。
【００６７】
圧入圧縮リング１６３はハウジング１の貫通孔１ｄ内に圧入されており、圧入圧縮リング１６３の外周面が全周にわたってハウジング１の貫通孔１ｄの内面に圧接している。圧入圧縮リング１６３は、貫通孔１ｄ内への圧入に伴い内方へ向かって弾性変形して内径が縮小しており、圧入圧縮リング１６３の内周面が全周にわたって絶縁筒部材１６２の外周面を押圧して圧接しているとともに、絶縁筒部材１６２の内周面が全周にわたって貫通ピン部材１６１の外周面を押圧して圧接している。
【００６８】
貫通端子部１６のハウジング１の内部に位置する部分において、貫通ピン部材１６１にリード線１５１をカシメ固定した部位を被覆するように、例えばゴム材からなる絶縁ブーツ１６４が配設されている。具体的には、絶縁ブーツ１６４は、絶縁筒部材１６２の小外径部１６２ｃからリード線１５１の絶縁被膜が形成されている部分までを覆い、貫通ピン部材１６１やリード線１５１の絶縁被膜が除去された部分がハウジング１内に露出して冷媒やコンプレッサオイルに触れることを防止している。絶縁筒部材１６２および絶縁ブーツ１６４は、冷媒やコンプレッサオイルに耐性を有する材料により形成されている。
【００６９】
ここで、貫通端子部１６の製造方法およびハウジング１への装着方法について、図６に加え図７〜図１２を用いて説明する。
【００７０】
まず、図７に示すように貫通ピン部材１６１を準備し、図８に示すように貫通ピン部材１６１の周囲に絶縁筒部材１６２を配設する。このとき、貫通ピン部材１６１の周囲にはめ込む前の絶縁筒部材１６２の内径は、貫通ピン部材１６１の外径とほぼ同一もしくは若干小さく形成されており、貫通ピン部材１６１の周囲に絶縁筒部材１６２を容易に配設可能であるとともに、配設後は貫通ピン部材１６１の周囲から脱落し難くなっている。このような構成から、貫通ピン部材１６１の周囲に絶縁筒部材１６２を配設したときには、貫通ピン部材１６１の環状溝１６１ａ内に絶縁筒部材１６２は押し込まれていない。
【００７１】
図８に示すように貫通ピン部材１６１の周囲に絶縁筒部材１６２を配設したら、次に、図９に示すように、絶縁筒部材１６２の周囲に圧入圧縮リング１６３を配設する。このとき、圧入圧縮リング１６３の円筒部１６３ａの内径は、絶縁筒部材１６２の大外径部１６２ａの外径とほぼ同一となっており、圧入圧縮リング１６３の小内径部１６３ｂの内径は、絶縁筒部材１６２の中外径部１６２ｂの外径とほぼ同一となっている。
【００７２】
したがって、貫通ピン部材１６１、絶縁筒部材１６２、および圧入圧縮リング１６３の仮組体を、図９に示す上方向を天方向とした姿勢で圧入圧縮リング１６３の外方から保持した場合には、圧入圧縮リング１６３の小内径部１６３ｂの上面に、絶縁筒部材１６２の大外径部１６２ａと中外径部１６２ｂとの間の段部が係止して、安定して保持することができる。図７〜図９に示す工程が、仮組体形成工程である。
【００７３】
貫通ピン部材１６１、絶縁筒部材１６２、および圧入圧縮リング１６３の仮組体を形成したら、図１０に示すように、この仮組体を金型９０内に配置し、圧入圧縮リング１６３の上面を環状の金型９１で押圧して、圧入圧縮リング１６３の上部を塑性変形させる。圧入圧縮リング１６３は、金型９０により外周面および下面を拘束されており、金型９１の下方への進行により圧入圧縮リング１６３の上部の肉の一部が内方に変形して、環状突出部１６３ｃが形成される。
【００７４】
これにより、環状突出部１６３ｃが絶縁筒部材１６２を内方に向かって押圧して高い面圧を発生するとともに、環状突出部１６３ｃの絶縁筒部材１６２への食い込みに伴って絶縁筒部材１６２が弾性変形し、小内径部１６３ｂと環状突出部１６３ｃとの間に位置する絶縁筒部材１６２の肉の一部が内方に押し出され、貫通ピン部材１６１の環状溝１６１ａの内部に押し込まれる。
【００７５】
このように、圧入圧縮リング１６３の上部を内方に変形させて環状突出部１６３ｃを形成し絶縁筒部材１６２をかしめることで、圧入圧縮リング１６３の内周面が全域にわたって絶縁筒部材１６２の外周面に接触し、絶縁筒部材１６２の内周面が全域にわたって貫通ピン部材１６１の外周面に接触する。図１０に示す工程が、仮組体かしめ工程である。
【００７６】
仮組体を構成する貫通ピン部材１６１、絶縁筒部材１６２、および圧入圧縮リング１６３を相互にかしめ固定したら、図１１に示すように、貫通ピン部材１６１の凹部１６１ｂ内にステータコイル１５から延びるリード線１５１の絶縁被膜を除去した端部を挿入してかしめ加工によりかしめ固定する。図１１に示す工程が、モータリード線接続工程である。
【００７７】
貫通ピン部材１６１の端部にリード線１５１を接続したら、図１２に示すように、接続部を覆うように絶縁ブーツ１６４を装着する。なお、図１１に示すかしめ加工を行う際には、絶縁ブーツ１６４は、既にリード線１５１を挿通した状態となっている。ここで、ゴム製の絶縁ブーツ１６４に代えて熱収縮チューブ等を絶縁被覆部材として採用することも可能である。
【００７８】
図１２に示す貫通端子部１６の製造が完了したら、図６に示すように、貫通端子部１６をハウジング１の貫通孔１ｄ内に圧入してハウジング１に装着する。ハウジング１に装着する前の貫通端子部１６は、圧入圧縮リング１６３の外径がハウジング１の貫通孔１ｄの内径よりも若干大きくなっている。ハウジング１の内方から貫通端子部１６を（具体的には圧入圧縮リング１６３を）貫通孔１ｄ内に圧入すると、圧入圧縮リング１６３は、外周面が貫通孔１ｄの内面に倣うように弾性変形する。
【００７９】
これに伴い、圧入圧縮リング１６３の外周面が全周にわたってハウジング１の貫通孔１ｄの内面に圧接する。また、圧入圧縮リング１６３は、圧入による弾性変形に伴って縮径する（内径が縮小する）。圧入圧縮リング１６３の圧入に伴う縮径により、貫通ピン部材１６１と圧入圧縮リング１６３との間で絶縁筒部材１６２が径方向に圧縮され、圧入圧縮リング１６３の内周面が全周にわたって絶縁筒部材１６２の外周面を押圧し、圧入圧縮リング１６３の内周面と絶縁筒部材１６２の外周面とが圧接状態となる。また、縮径した圧入圧縮リング１６３によって内方に押し込まれた絶縁筒部材１６２により、絶縁筒部材１６２の内周面が全周にわたって貫通ピン部材１６１の外周面を押圧し、絶縁筒部材１６２の内周面と貫通ピン部材１６１の外周面とが圧接状態となる。図１２に示す貫通端子部１６を図６に示すようにハウジング１に装着する工程が、圧入装着工程である。
【００８０】
上述の構成および製造方法によれば、略円柱状の貫通ピン部材１６１と略円筒状の圧入圧縮リング１６３との間にゴム材もしくはゴムを含有するポリマーアロイ材からなる略円筒状の絶縁筒部材１６２を介設した簡単な構成の貫通端子部１６を、ハウジング１の貫通孔１ｄ内に圧入することで、圧入圧縮リング１６３の外周面を全周にわたってハウジング１の貫通孔１ｄの内面に圧接して圧入圧縮リング１６３とハウジング１との間を気密シールするとともに、圧入圧縮リング１６３を圧入に伴い縮径させて絶縁筒部材１６２を径方向に圧縮し、貫通ピン部材１６１と圧入圧縮リング１６３との間を絶縁しつつ気密シールすることができる。したがって、比較的簡単な構造の貫通端子部１６により貫通端子部１６を小型化することができる。
【００８１】
また、圧入圧縮リング１６３と貫通ピン部材１６１との間をゴム材もしくはゴムを含有するポリマーアロイ材からなる絶縁筒部材１６２で絶縁しつつ気密シールしており、ガラス材を封止に用いる必要がないので、貫通ピン部材１６１に、電気導電率が高い銅材もしくは銅合金材を用いることができ、貫通ピン部材１６１の径を小さくすることが可能である。
【００８２】
また、圧入圧縮リング１６３に内方に向かって突出した環状突出部１６３ｃを設けて絶縁筒部材１６２を内方に向かって押圧し、圧入圧縮リング１６３の環状突出部１６３ｃと絶縁筒部材１６２との間に比較的高い面圧を環状に発生させている。したがって、圧入圧縮リング１６３と絶縁筒部材１６２との間を確実に気密シールすることができる。
【００８３】
また、貫通ピン部材１６１の外周面に環状に形成した環状溝１６１ａを複数設け、貫通ピン部材１６１の各環状溝１６１ａの両側角部と絶縁筒部材１６２との間に、比較的高い面圧を環状に発生させている。したがって、貫通ピン部材１６１と絶縁筒部材１６２との間を確実に気密シールすることができる。
【００８４】
また、貫通ピン部材１６１の一端部に軸方向に延びる凹部１６１ｂを形成して、凹部１６１ｂ内にリード線１５１の端部を挿入してかしめ固定している。したがって、貫通ピン部材１６１の外周面よりも内側にステータコイル１５からのリード線１５１を固定できるので、貫通端子部１６を一層小型化することができる。リード線１５１の端部に接続端子をかしめ固定し、クラスタブロック内に組込み、貫通ピン部材１６１と接続するという方法を用いなくてもよいので、部品点数を低減し、工程も簡素化することができる。
【００８５】
また、駆動回路部であるインバータ回路２０は、モータ部１０へ供給する供給電力を制御するパワー素子２１４を絶縁基材２１１中に内蔵した第１基板２１を備えており、第１基板２１は、ハウジング１の取付面１ｃに取り付けられ、ハウジング１内を流通する吸入冷媒で冷却されるようになっている。したがって、パワー素子２１４の本体部を回路基板とは異なる層に配設してハウジングに押し付け冷却する必要がない。このようにして、パワー素子２１４の冷却性を確保しつつインバータ回路２０の体格を小型化することができる。
【００８６】
また、パワー素子の本体部を回路基板とは異なる層に配設してハウジングに押し付けパワー素子を冷却する場合には、回路基板の熱をハウジングに伝え難いが、本実施形態の構成によれば、第１基板２１および第２基板２２からハウジング１に放熱することが可能であり、放熱性を向上することができる。
【００８７】
また、インバータ回路２０は、素子内蔵回路基板である第１基板２１と非素子内蔵回路基板である第１基板２２とを電気的に接続して構成している。したがって、インバータ回路２０を構成する基板の一部を比較的安価な非素子内蔵回路基板として、インバータ回路２０を比較的安価に構成することができる。
【００８８】
また、第１基板２１と第２基板２２とは、ハウジング１の取付面１ｃに沿って並設されている。したがって、インバータ回路２０の基板を第１基板２１と第２基板２２とで構成しても、インバータ回路２０のハウジング１の外面からの高さを抑制することができる。
【００８９】
（他の実施形態）
以上、本発明の好ましい実施形態について説明したが、本発明は上述した実施形態に何ら制限されることなく、本発明の主旨を逸脱しない範囲において種々変形して実施することが可能である。
【００９０】
上記実施形態では、貫通ピン部材１６１の外周面に環状溝１６１ａを設けていたが、これに限定されるものではない。例えば、外周面に環状の凸部を設けるものであってもよいし、環状溝と環状凸部の両者を設けるものであってもよい。
【００９１】
また、上記実施形態では、貫通ピン部材１６１を銅材もしくは銅合金材で形成していたが、これに限定されるものではなく、例えば、アルミニウム材もしくはアルミニウム合金材等により形成することもできる。
【００９２】
また、上記実施形態では、貫通端子部１６の貫通ピン部材１６１は、第１基板２１の貫通孔２１１ａ内に配設されて、出力部である放熱用チップ２１６の貫通孔２１６ａに接続していたが、これに限定するものではない。例えば、第１基板２１に貫通孔を設けずに絶縁基材２１１の端面に沿うように貫通ピン部材１６１を配設して、放熱用チップ２１６の出力部に接続したものであってもよい。これによれば、第１基板２１のサイズを小さくすることができる。このとき、第１基板２１の端部に貫通ピン部材１６１の外周形状に合わせて横断面が半円状の凹部を形成し、円弧面状の端面を形成することが好ましい。
【００９３】
また、放熱用チップ２１６の出力部は、貫通孔２１６ａであってもよいし、第１基板２１の端面に対応させて円弧面状の端面としてもよい。また、例えば、第１基板２１からモータ部１０へ供給電力を出力する出力部は、放熱用チップ２１６に設けず、導体パターン２１２等の配線部に設けてもかまわない。
【００９４】
また、上記実施形態では、駆動回路部であるインバータ回路２０を、第１基板２１および第２基板２２の２枚の基板で構成していたが、これに限定されるものではない。インバータ回路２０は、３枚以上の基板で構成してもよいし、パワー素子２１４を内蔵した１枚の回路基板で構成してもよい。また、インバータ回路２０は、非素子内蔵基板のみで構成してもかまわない。
【００９５】
また、上記実施形態では、駆動回路部であるインバータ回路２０は、モータ部１０の軸線方向（モータ部１０と圧縮機構３０とが並んだ方向）にほぼ平行なハウジング１の側面部に取り付けられ、貫通端子部１６は、ハウジング１の側面部の貫通孔１ｄに配設されていたが（所謂キャメルバックタイプの電動圧縮機であったが）、これに限定されるものではなく、インバータ回路２０はハウジング１の外面のうち内部を吸入冷媒が流通する部位に形成された取付面に取り付けられるものであればよい。例えば、モータ部１０の軸線方向における反圧縮機構側の面（図１図示右方側の面）にインバータ回路２０を取り付け、これに対応してハウジング１に設けた貫通孔に貫通端子部１６を配設したものであってもよい（所謂インラインタイプの電動圧縮機であってもよい）。
【符号の説明】
【００９６】
１  ハウジング
１ｄ  貫通孔
１０  モータ部（モータ）
１６  貫通端子部
２０  インバータ回路（駆動回路部）
３０  圧縮機構
１５１  リード線
１６１  貫通ピン部材（ピン部材）
１６１ａ  環状溝（環状凹部）
１６１ｂ  凹部（挿設凹部）
１６２  絶縁筒部材（絶縁部材）
１６３  圧入圧縮リング（支持部材）
１６３ｃ  環状突出部
【図１】
0005353834.tif 000002
【図２】
0005353834.tif 000003
【図３】
0005353834.tif 000004
【図４】
0005353834.tif 000005
【図５】
0005353834.tif 000006
【図６】
0005353834.tif 000007
【図７】
0005353834.tif 000008
【図８】
0005353834.tif 000009
【図９】
0005353834.tif 000010
【図１０】
0005353834.tif 000011
【図１１】
0005353834.tif 000012
【図１２】
0005353834.tif 000013